(57)【要約】【課題】従前における墓石の重さに起因する問題を解決し、１つのフロアに多くの墓石を設置でき、多くの遺骨を収容でき、さらに交通の便の良いに場所に設置できるようにすることで、気軽に赴くことのできる多層階構造の霊苑を提供すること。【解決手段】  複数のフロアで構成される多層階構造の建築構造物と、少なくとも階下を有する階のフロアに設置された複数の墓とからなり、当該墓は、石材、樹脂及び金属の少なくとも何れかを用いて構成された板部材を組み合わせて、内部に空間部を有する中空構造に形成されている多層階構造の霊苑とする。【選択図】図１
2015001128.tif 000002
【特許請求の範囲】
【請求項１】
複数のフロアで構成される多層階構造の建築構造物と、
少なくとも階下を有する階のフロアに設置された複数の墓とからなり、
当該墓は、石材、樹脂及び金属の少なくとも何れかを用いて構成された板部材を組み合わせて、内部に空間部を有する中空構造に形成されていることを特徴とする、多層階構造の霊苑。
【請求項２】
前記墓は、厚さ２ｍｍ以上、８ｍｍ以下の石材の裏面に補強部材を接合してなる板部材を組み合わせた中空構造に構成されており、
少なくとも、何れかの板部材は着脱自在または開閉自在に取り付けられている、請求項１に記載の多層階構造の霊苑。
【請求項３】
前記墓を構成する板部材に使用される補強部材は、光を透過させる材料及び／又は形状で形成されており、
前記空間部には光源が設けられている請求項２に記載の多層階構造の霊苑。
【請求項４】
前記建築構造物の何れかのフロアには、駐車エリアが確保されており、
前記墓が設置されるフロアと駐車エリアが確保されるフロアとは異なる階として構成されている、請求項１〜３の何れか一項に記載の多層階構造の霊苑。
【請求項５】
前記建築構造物は、複数のフロアで構成される多層階構造の立体駐車場であって、
前記墓は、少なくとも階下を有する階のフロアに区画された複数の墓用エリアごとに設置されている、請求項１〜４の何れか一項に記載の多層階構造の霊苑。
【請求項６】
前記建築構造物は、複数のフロアで構成される多層階構造で建てられた、立体駐車場以外の建築構造物であって、
前記墓は、少なくとも階下を有する階のフロアに区画された複数の墓用エリアごとに設置されている、請求項１〜４の何れか一項に記載の多層階構造の霊苑。
【発明の詳細な説明】
【技術分野】
【０００１】
本発明は多層階で構成された霊苑に関し、特に建築構造物内に複数の墓石を設置することのできる多層階構造の霊苑に関する。
【背景技術】
【０００２】
従来より、墓地は故人を埋葬するための場所として使用されている。一般的に慣習化されている埋葬方法では、所定の場所に設けられた墓地に墓石を設置し、個人の遺骨を当該墓地に設けられた地中の納骨場所に埋葬する方法が行われている。また多くの場合、複数の墓地を一か所に集めた共同墓地として管理されており、寺院墓地の他にも、公営または民営の霊苑などとして管理され、提供されている。
【０００３】
しかしながら、従来において提供されている墓地は、地上に直接墓石を設置していることから、寺院等ではより多くの墓を設置しようとしても、その広さに限りがあり、また近年の土地不足の傾向からみても、新たに敷地を設けて墓を作ることは困難となっているという実情があった。また墓石が露出していることから、景観上、市街地に設置するのが困難であり、さらに墓石は、そのまま雨風にさらされている状態であるので、汚れたり、傷んだり、破損を生じることがあり、その場合、収納している遺骨にも悪影響を及ぼすという問題があった。
【０００４】
そこで従前においては、地下に多層階のコンクリート地下構造物やエレベータを設けて霊苑を造成することが提案されている。例えば特許文献１（特開平５−３４０１３８号公報）では、地上部建屋とこの建屋に連続する地下部としての多層階のコンクリート地下構造物とからなり、地下構造物の各階に墓石を載置した地下式霊苑とし、地下空間を利用することにより交通に便利な都市部で限られた敷地の効率的活用を可能にすることが提案されている。
【０００５】
また従前においては、地上の建造物内部に霊苑を設けることも提案されている。例えば特許文献２（特開昭６０−３３９８５号公報）では、できるだけ平面墓地に近い雰囲気・条件を整え、かつ平面墓地と同様の墓石を用いる様にした高層式霊苑を提供するべく、左右に長くて多層階よりなる建物の長手方向の略中央を横断するように各階へ上り下りするためのスロープを設けると共に、各階には該スロープを挟んで左右に夫々墓室を設け、該各墓室には通路で囲繞して墓石を列状に据置する島を多数形成すると共に、該各島には墓石から流下させる水を回収させる排水管を埋設し、さらに各墓室の外周に通風並びに採光用のドライエリヤを設けて構成される高層式霊苑が提案されている。
【０００６】
また、従前における墓は、例えば特許文献３（特開２０１２−８２６０５号公報）に開示されているように、土台の上に箱、上台、蓮台及び竿と呼ばれる石材を積重し、箱の手前の土台上に香炉台を設置した形態の墓が一般的であって、納骨室は箱内の地上または地中に形成され、箱の前面には、この納骨室に繋がる開口が設けられており、香炉台は、この開口を塞ぐように設置されている。
【先行技術文献】
【特許文献】
【０００７】
【特許文献１】特開平５−３４０１３８号公報
【特許文献２】特開昭６０−３３９８５号公報
【特許文献３】特開２０１２−８２６０５号公報
【発明の概要】
【発明が解決しようとする課題】
【０００８】
上記のように複数の階がある建物に区画した敷地を設け、各区画に独立した墓を建てて霊苑とすることは、前記したような幾つかの特許文献でも提案されている。しかしながら、従来提供されている墓石は、石材を用いて形成されており、相当な重量であることから、かかる墓石を複数設置するには、当該多層建築構造物にも相当な強度が要求されるか、あるいは１つのフロアに設置できる墓石の数が制限されてしまうことになる。
【０００９】
そこで本発明は、このような墓石の重さに起因する問題を解決し、１つのフロアに多くの墓石を設置できるようにした多層階構造の霊苑を提供することを第１の課題とする。
【００１０】
また、従来の墓のように地面上に設置する場合においては、地面に穴を掘って納骨室とすることも可能であるが、多層建築構造物のフロアに墓石を設置する場合、床下に納骨室を設けるのは困難を伴い、その結果、従来の墓石では収容できる遺骨の数も制限されてしまう。
【００１１】
そこで本発明では、多層式の建築構造物におけるフロアに設置される墓石でありながらも、多くの遺骨を収容できるようにした墓石を使用し、従前の墓石と同様に使用することのできる多層階構造の霊苑を提供することを第２の課題とする。
【００１２】
更に、近年の高齢化の状況においては、郊外に造成された霊苑に出向くことが困難な状況となっており、一方で都心部などの交通機関が発達している地域においては、前記したような土地不足の問題から霊苑を造成できるような土地を確保するのが困難である。すなわち、交通機関の発達した地域において、交通の便の良い駅前などにおいては、ビルや駐車場、あるいは商業施設などは存在するものの、霊苑を造成できるような土地は存在しないのが実情である。
【００１３】
そこで本発明は、高齢者の様に長距離の移動が困難な者であっても、気軽に赴くことのできる場所、例えば駅前の様に交通の便の良い地域に作ることのできる多層階構造の霊苑を提供することを第３の課題とする。
【課題を解決するための手段】
【００１４】
上記課題の少なくとも何れかを解決するべく、本発明では石材を用いながらも軽量化を図り、さらに遺骨の収容領域を確保した墓を使用し、当該墓を立体駐車場、オフィスビル、住居ビル、商業ビルなどの複数のフロアで構成される多層階構造の建築構造物内に設置した多層階構造の霊苑を提供するものである。
【００１５】
すなわち本発明では、複数のフロアで構成される多層階構造の建築構造物と、少なくとも階下を有する階のフロアに設置された複数の墓とからなり、当該墓は、石材、樹脂及び金属の少なくとも何れかを用いて構成された板部材を組み合わせて、内部に空間部を有する中空構造に形成されている多層階構造の霊苑を提供する。
【００１６】
前記建築構造物は、立体駐車場の他、住居用ビル、オフィスビル、駅舎、空港ビル、官公庁舎、商業施設など屋根と床面を有する建築物や構造物を広く含んでおり、特に本発明における建築構造物は、地上であるか地下であるかを問わず、複数のフロアで構成される多層階構造の建築構造物を意図している。このような多層階構造の建築構造物において、複数のフロアに墓を設置することで、土地の有効活用を図ることができるためである。また、当該建築構造物は、本発明にかかる多層階構造の霊苑を構成する為に独自に設計、構築されたものであってもよい。この場合、各フロアに設置される墓の数にもよるが、鉄筋構造物であることが望ましい。
【００１７】
また本発明では、上記のように構成した多層階構造の建築構造物において、少なくとも何れかのフロア、特に階下を有するフロアに複数の墓を設置することで、霊苑を実現している。階下を有するフロアとは、地上であるか地下であるかを問わない。すなわち、地下１階を設けた建築構造物においては、地上１階以上の階層におけるフロアに墓を設置することになり、また地下階が設けられていない建築構造物においては、地上２階以上の階層におけるフロアに墓を設置することになる。
【００１８】
本発明にかかる霊苑は前述のとおり多層階に及ぶため、各階への昇降手段として、階段、スロープ、エレベーターなどを備えることが望ましい。特に、高齢者や身体の不自由な者の利用を容易にするために、階段に代えて又は階段と共に、スロープやエレベーターを備えることが望ましい。
【００１９】
そして当該フロアに設置する墓は、人工大理石などの樹脂や、石材、及び金属などの少なくとも何れかで形成することができる。特に建築構造物として従前における建築構造物を使用する場合には、当該フロアに設置する墓は、より軽量化されたものであることが望ましい。その為、当該墓を構成するためには、前記材料からなる板部材を組み合わせて形成し、内部に空間部を有する中空構造に形成する。すなわち、中空構造に形成することで、墓自体を大幅に軽量化することができる。
【００２０】
ここで、前記フロアに設置する墓を一層軽量化する上では、当該墓は人工大理石などの樹脂材料からなる板部材を組み合わせて形成することが望ましく、一方で従前における墓と同じような質感を確保するためには、板状に薄く形成した石材からなる板部材を組み合わせて形成することもできる。何れの材料からなる板部材を組み合わせて墓を形成したとしても、本発明にかかる霊苑では、当該墓は建築構造物内に設置されることから、雨や日光（紫外線など）などによる劣化のおそれを大幅に減少させることができる。
【００２１】
そして上記の様に中空構造に形成した墓を使用する結果、墓自体の質量を軽くすることができ、よって従前における建築構造物であっても、各フロアにおける耐荷補強などを施すことなく、そのままで使用することもできる。また当該墓は軽量化されていることから、重機などを用いることなく設置することが可能になり、設置工程や設置費用を大幅に削減することができる。更に、当該墓の軽量化を実現するために、内部を中空構造に形成している結果、当該墓の内部に確保された空間部に、遺骨などを収容することができる。その結果、建築構造物における床に穴を穿って納骨空間を形成する必要がなくなり、既存の建築構造物を用いて本発明にかかる多層階構造の霊苑とする場合においても、大幅な改修工事を不要とすることができる。
【００２２】
特に従前における墓は、特殊な場合を除いて、花崗岩、安山岩、斑糲、凝灰岩などの石材が用いられているのが一般的である。よって、このような慣習を鑑みれば、本発明において各フロアに設置される墓は、少なくとも表に露出する部分は石材を用いて形成されることが望ましい。その上で軽量化を図り、さらに少しの衝撃では割れない程度の強度を確保する為に、板状に形成される石材は、厚さ２ｍｍ以上、８ｍｍ以下、特に３ｍｍ程度に形成されることが望ましい。さらに板状に形成した石材において、墓を構成したときに表側に露出しない面（すなわち、裏面）には、当該板状の石材の曲げ強度を補強する為の補強部材を接合して板部材を構成するのが望ましい。かかる補強部材は、使用する材質にもよるが、樹脂をハニカム構造に形成した板であれば、約３ｍｍ以上、３０ｍｍ以下の厚さに形成するのが望ましい。このように構成した板部材を組み合わせて墓を構成することにより、表面は石材が露出することから、従前の墓と変わらないものとして認識され、一方で建築構造物内に複数設置できる程度に軽量化することができる。
【００２３】
ここで、補強部材として使用することのできる材料は、樹脂、金属、セラミックなどの様に十分な強度を有する各種の材料を用いて形成することができる。そしてこの補強部材は、板状に形成された石材の曲げ強度を高め、かつ墓の軽量化に貢献するとの課題を鑑みれば、ハニカム構造、または厚さ方向に貫通する複数の孔を穿った構造など、当該補強部材自体も軽量化されていることが望ましい。
【００２４】
また、使用する石材によっては、あるいは当該石材の厚さ次第では、板状の石材が光を透過できる場合もある。例えば大理石やオニキスなどの石材であれば、約３ｃｍ程度以下であれば、光を透過させることができる。そこで、石材が光を透過させる場合には、当該石材の裏面に貼付する補強部材も、光を透過させる材料及び／又は形状で形成し、その結果、墓を構成する板部材全体が光を透過させるように構成することもできる。このように形成した墓では、例えば墓内、より具体的には墓内に確保された空間部に、電球、蛍光灯、ＬＥＤ、蓄光材料、蝋燭などの光源を設けることで、内側から発光することのできる墓を形成することができる。特に本発明にかかる霊苑において、墓は室内（すなわち建築構造物内）に設置されることから、暗い室内でも自ら発光して、幻想的な景観を実現することができる。
【００２５】
更に、前記の様に板部材で形成される墓は、その内部に確保される空間部を、遺骨を収容するための空間として利用する為に、当該墓を構成する少なくとも何れかの板部材は着脱自在または開閉自在に取り付けられていることが望ましい。例えば墓の前面、側面、上面、背面の少なくとも何れか、或いは各面の一部の領域を着脱自在又は開閉自在に形成することができる。かかる面または領域を着脱自在とするにはネジや磁石等で着脱自在に固定することができ、また当該面または領域を開閉自在とするには、当該面や領域を兆番などで取り付けることができる。特に石材からなる板部材を組み合わせて形成する場合、当該板部材が割れることの無いように、磁石により着脱自在に形成することが望ましい。ネジなどで固定する場合には、ネジ孔に異物が混入したり、ネジの締め付け加減次第では、石材からなる板部材が割れる等の問題が生じるためである。
【００２６】
また本発明にかかる多層階構造の霊苑では、前記建築構造物の何れかのフロアには、駐車エリアが確保されており、前記墓が設置されるフロアと駐車エリアが確保されるフロアとは異なる階として構成されていることが望ましい。駐車エリアが確保されるフロアと墓が設置されるフロアとを別にすることにより、車両から排出される排気ガスや車両に付着している塵埃・泥などにより、墓が汚れるといった事態を回避することができる。特に、本発明にかかる多層階構造の霊苑は、設置する墓が軽量化されていることから、２階以上のフロアであっても墓が設置されるフロアとすることができ、よって墓が設置されるフロアと駐車エリアとを異なる階にすることができる。
【００２７】
また、本発明にかかる多層階構造の霊苑を構成する建築構造物は、複数のフロアで構成される多層階構造の立体駐車場であって、前記墓は、少なくとも階下を有する階のフロアに区画された複数の墓用エリアごとに設置することができる。複数のフロアを有して構築された立体式の駐車場は、各フロアが自動車を収容できる程度の強度を有していることから、より多くの墓を問題なく設置することができる。また一般的に立体式の駐車場は、交通の便の良い場所に設置されていることが多く、よって高齢者であっても赴きやすい多層階構造の霊苑とすることができる。
【００２８】
更に、本発明にかかる多層階構造の霊苑を構成する建築構造物は、複数のフロアで構成される多層階構造で建てられた、立体駐車場以外の建築構造物であって、前記墓は、少なくとも階下を有する階のフロアに区画された複数の墓用エリアごとに設置することができる。
【００２９】
立体駐車場以外の建築構造物としては、マンションやオフィスビル、或いはショッピング施設など様々な建築構造物が含まれ、これらは既存であるか新設であるかを問わずに使用することができる。これは、本発明にかかる多層階構造の霊苑で使用する墓が軽量化されており、しかも多くの遺骨を収容できるように構成されていることにより、実現可能になったものである。
【００３０】
例えば、建築構造物として既存のマンションを使用する場合には、最上階や屋上などの何れかのフロアに墓を設置することができ、その結果、遺族は故人と同じ建物に居住できるといった安らぎ感を得ることができる。更に建築構造物として商業施設を使用する場合には、買い物ついでに故人を弔うことができ、先祖との繋がりを身近に感じることができる。
【発明の効果】
【００３１】
上記本発明にかかる多層階構造の霊苑において、使用する墓は、石材、樹脂及び金属の少なくとも何れかを用いて構成された板部材を組み合わせて、内部に空間部を有する中空構造に形成されており、軽量化が図られている。よって、墓石の重さに起因する問題を解決し、特段の補強構造を有しない建築構造物であっても、１つのフロアに多くの墓石を設置できるようにした多層階構造の霊苑を提供することができる。更に、この墓を設置する建築構造物は複数のフロアで構成される多層階構造である。よって、階下を有するフロアに対しても墓を設置することができる
【００３２】
また、フロアに設置する墓は、板部材を用いた中空構造に構成されており、墓の内部に空間部を有している。このため、当該墓内にも多くの遺骨を収容することができ、多層階建築構造物のフロアに墓石を設置する場合であっても、床下に納骨室を設けることなく、多くの遺骨を収容することがで、建築構造物の構築や改築も容易に行うことができる。
【００３３】
更に、使用する墓は軽量化されていることから、既存の建築構造物に対しても設置することができる。この為、交通の便の良い駅前などに構築されている既存のビルや駐車場、あるいは商業施設などを利用して霊苑を構築することができる。その結果、高齢者の様に長距離の移動が困難な者であっても、気軽に赴くことのできる場所、例えば駅前の様に交通の便の良い地域に作ることのできる多層階構造の霊苑が実現する。
【図面の簡単な説明】
【００３４】
【図１】本実施の形態にかかる霊苑の一部を断面で示した立面図
【図２】霊苑において墓を設置したフロアの平面図
【図３】フロアに対する墓の設置状態を示す斜視図
【図４】霊苑を構成する墓を示す（Ａ）正面図、（Ｂ）Ｂ−Ｂ断面図
【図５】上・下段納骨室部の分解斜視図
【図６】板部材を示す分解斜視図
【図７】他の例にかかる墓を示す側面方向における縦断面図
【発明を実施するための形態】
【００３５】
以下、図面を参照しながら本実施の形態にかかる多層階構造の霊苑と、これに使用する墓を具体的に説明する。
【００３６】
図１は本実施の形態にかかる霊苑の一部を断面で示した立面図であり、図２は当該霊苑において墓を設置したフロアの平面図であり、図３はフロアに対する墓の設置状態を示す斜視図であり、図４はこの実施の形態にかかる霊苑を構成する墓を示す（Ａ）正面図、（Ｂ）Ｂ−Ｂ断面図であり、図５は上・下段納骨室部の分解斜視図であり、図６は板部材を示す分解斜視図であり、図７は他の例にかかる墓を示す側面方向における縦断面図である。
【００３７】
図１に示す実施の形態にかかる霊苑１１は、特に立体駐車場を改装して構成されたものであり、１階及び２階を駐車場とし、墓石Ｔは３階以上のフロアに設置している。このように駐車場となるフロアと、墓Ｔを設置するためのフロアとを分けることにより、車両からの排気ガスなどにより、墓Ｔが汚れるような事態を回避している。この図に示すように、建築構造物として立体式の駐車場を利用する場合、一般的な立体駐車場は側面が覆われておらず、内部は外から丸見えであることから、本実施の形態にかかる建築構造物（立体駐車場）では、側面に簡易的な壁１２を作り、装飾を施している。かかる壁１２に代えて、蔦類の植物を植生させて壁面を覆うこともできる。このように側面を覆うことにより、利用者も安心して参拝することができ、先祖と安らいだ心で向き合うことができる。また当該立体駐車場は、多くの場合、繁華街に多く設けられていることから、墓を見えないようにすることで、景観を損なわないようにすることができる。
【００３８】
また、この図１に示す実施の形態では、３階から上層階にいくにしたがって、墓Ｔの設置間隔を広くしており、高層のフロアに多くの墓石Ｔが設置されることの無いように構成されている。これは地震などで建築構造物が揺れた場合にも、低いフロアに重心を持っていくことで、揺れが大きくなったり、最悪の場合において倒壊してしまう等の問題を生じさせないようにするためである。その結果、上層階では墓Ｔ同士の間隔が空く事になるが、当該墓Ｔ同士の間には植物１３を育成したり、植物１３以外の装飾物を設けることにより、環境が整い、かつ景観も優れたものとすることができる。
【００３９】
図２は、上記したような建築構造物において、墓Ｔが設けられているフロア２１を示す平面図であり、当該フロア２１は、墓Ｔを設置するためのエリア２２が複数区画されており、それぞれのエリア２２に墓Ｔを設置している。また、利用者における心の安らぎを保つために、植物１３を植生したり、或いは噴水２３などを設置することもできる。また、墓Ｔを設置するフロア２２には、利用者が墓Ｔを清掃することを考慮して、水場２４を設け、さらに休憩室２５や祭壇２６などを設けることができる。このように休憩室２５や祭壇２６などを設けることにより、遺骨を埋葬する際にも十分な供養を行うことができ、遺族の心情を尊重することができる。そしてこの多層階構造の霊苑は、駅前などのように交通の便の良い場所に構築できるのであるから、ゆったりした気分で気軽に先祖を供養することができるようになる。本発明にかかる霊苑１１は多層階構造のため、階段２７のみではなくエレベーター２８を備えることが望ましい。
【００４０】
図３は、この墓Ｔが設置されるフロア２２に、実際に墓Ｔを設置した状態を示す要部斜視図である。本実施の形態においては、この図に示す様に、墓Ｔを台座３１に載せて設置している。かかる台座３１も、後述する墓Ｔと同じように、板状に形成した石材からなる板部材を組み合わせて形成することができ、内部を中空にして、各種の供え物や遺骨などを収容できるように形成している。このような台座３１を設けていることから、本実施の形態にかかる墓は、比較的低く、例えば１２００ｍｍ程度の高さであってもよく、その結果、より軽量化を図ることができる。また、このように複数設置される墓Ｔ同士の間には、壁３２を設けることができ、これにより地面に区画した墓地と同じように、自己が使用することのできるエリアを明確にすることができる。またこの墓Ｔ同士の間に形成される壁３２は、墓誌として利用することもできる。
【００４１】
そして本実施の形態において、立体駐車場における３階以上のフロアに設置される墓Ｔは、図４（Ａ）に示すように中空構造に形成されている。かかる墓Ｔは、本実施の形態においては、基礎となる芝台４１の上に、下段納骨室部４２を設け、その上に上段納骨室部４３を設け、この上段納骨室部４３の上に上台４４を設けて、その上に竿４５を設けた構成となっている。これらは、後述するように板部材を組み合わせて、接着剤あるいはヒンジ等の金具により一体化して形成していることから、図４（Ａ）におけるＢ−Ｂ矢視断面図（図４（Ｂ））に示す様に、内部が中空構造となっている。したがって、下段納骨室部４２や上段納骨室部４３には、図４（Ｂ）に示す様に、遺骨４６を収容したり、或いは遺骨４６に限らず、各種の供え物や、線香、蝋燭といった供養に必要なものを収容しておくこともできる。すなわち、本実施の形態に示す様に、板部材を用いて中空構造に形成した墓Ｔにあっては、前記したような台座３１をなくしても、多くの遺骨３６や供え物などの物品を収容することができ、よって既存の建築構造物を霊苑として有効に活用することができるようになっている。
【００４２】
また、本実施の形態において、墓Ｔの竿４５の正面には、家名などを記した銘板４７が設けられている。この銘板４７は、例えば磁石などによって、竿４５の正面に対して着脱自在に接合することができる。この場合には、銘板４７を変更することにより、墓Ｔを再利用することができ、例えば墓Ｔを使用するものが存在しなくなった場合においては、収容している遺骨３６を他の場所に安置し、空いた墓Ｔを他の者が新たに利用できるようにすることができる。
【００４３】
上記の様に、本実施の形態における墓Ｔは、特に下段納骨室部４２や上段納骨室部４３が中空構造に形成され、遺骨３６や物品などを収容できるように構成している。そのため、当該下段納骨室部４２や上段納骨室部４３の何れかの面、すなわち、正面、側面または背面は、開閉自在に形成される必要がある。図５は、下段納骨室部４２や上段納骨室部４３において何れかの面を開閉自在に構成した時の分解図であり、上面視「コ」字状に形成された本体部分５１に対し、開閉自在な扉部分５２を着脱自在に設けている。すなわち、板部材３３の縁部分を突き合わせると共に、突き合せた板部材の内側を「Ｌ」字状の金具５４により接合して上面視「コ」字状の本体部分５１を形成している。そして本体部分５１において開放している領域には、着脱自在に設けられる扉部分５２を抑える「Ｌ」字状の金具５４が設けられており、扉部分の内面には、前記「Ｌ」字状の金具５４に正対する位置に磁石５５が設けられている。これにより、扉部分は磁石５５によって本体部分５１（の金具５４）に接合されることになる。なお、この実施の形態において、各板部材５３の突き合せは、厚さ方向の端面が表に露出することの無いように、突き合せる端面は斜めに面取り加工が施されている。
【００４４】
上記本体部分における板部材の接合は、必ずしも「Ｌ」字状の金具５４により行う必要はなく、接着剤やその他の接合金具等によって行うこともできる。また当該本体部分５１に対する扉部分５２の接合は、必ずしも磁石５５によって行う必要はないが、板部材５３が石材を用いて構成されている場合には、ネジやビスなどによる取り付けは避けるべきである。ネジやビスなどの締め付け加減次第では、石材が割れてしまう為である。
【００４５】
図６は、上記墓Ｔを構成するための板部材５３を示す分解斜視図である。特にこの実施の形態にかかる板部材５３は、板状に形成した石材６１の下面に、金属、セラミックス、或いは硬質の樹脂、で形成した補強部材６２を貼り合わせて構成している。その結果、石材面が露出しながらも、一定の曲げ強度を有し、さらに軽量化を図った板部材５３が実現している。
【００４６】
また、この実施の形態において使用している補強部材６２は、ハニカム構造に形成され、厚さ方向に貫通する孔が複数形成されている。これにより、十分な曲げ強度を確保しながらも、樹脂材料の使用量を減じることができ、その結果、当該板部材５３、ひいては墓Ｔの製造コストを大幅に削減することができる。
【００４７】
上記の様に石材６１を用いて、墓を構成した時に内側となる面に補強部材６２を貼り合わせて構成した板部材５３においては、石材６１に使用する石の種類や厚さを加減し、さらに使用する補強部材６２の材質や形状を調整することで、光を透過させる板部材５３を構成することもできる。例えば、石材６１として、厚さ○ｍｍ以下の大理石やオニキスを使用し、さらに補強部材６２として透明な樹脂材料、或いは多孔形状もしくはハニカム構造のものを使用すれば、厚さ方向に光が透過する板部材５３を形成することができる。
【００４８】
そこで、図７に示す様に、竿４５から上段納骨室部４３に至る内部空間Ｓを光が通る事ができるように連通する空間として形成し、上段納骨室部４３内には、電球、ＬＥＤ等の光源７１を設置することもできる。かかる光源７１としては、その他にも蝋燭や蓄光材料であってもよい。このように形成した墓Ｔは、光源７１からの光により、竿４５や上段納骨室部４３が自ら発光することができる。そして当該墓Ｔが設置される建築構造物内では、照明の設置の仕方次第では明るさを任意に調整することができ、よって建築構造物内の照明を落とし、一方で墓Ｔを発光させることにより、幻想的な空間を演出することもできる。すなわち、本実施の形態にかかる霊苑１１で使用する墓Ｔは、板部材５３を用いて形成することで内部空間Ｓを確保し、軽量化を図ると共に収容容積を増大させ、これにより建築構造物内に設置することが可能になっている。更に前記のように構成して建築構造物内に設置するからこそ、発光手段を設けて幻想的な雰囲気を醸し出すことが可能になったものであり、板部材５３を用いて墓Ｔを形成すること、及びこれを建築構造物内に設置することが相乗的に作用して、本発明の効果を発現できるようになっている。また、当該建築構造物においては、墓石管理システムを設ける事ができる。即ち、利用者が参拝しようとする墓をコンピュータまたは案内板において指定することにより、当該墓が発光して所在を明確にするように構成することもできる。
【００４９】
前記本実施の形態では、特に和型の墓の例を示して説明しているが、墓は洋型であっても、その他のデザインを施した墓であってもよい。また建築構造物に関しても、立体式の駐車場の例に基づいて説明しているが、マンションや商業施設、或いは駅舎等であってもよく、新たに建築する建築構造物のみならず、既存の建築構造物を改装したものであっても良い。むしろ、本発明にかかる多層階構造の霊苑に使用する墓は、軽量化が図られており、既存の建築構造物においても特段の補強工事を必要としないことを鑑みれば、既存の建築構造物を改装して多層階構造の霊苑とする方が、大きなメリットを得ることができる。
【産業上の利用可能性】
【００５０】
前記本発明にかかる多層階構造の霊苑は、墓の製造業者において実施可能である他、既存のビル所有者に対しても、ビルを有効活用するための手法を提案するものであり、製造業のみならず、不動産業においても有効に利用することができる。
【符号の説明】
【００５１】
１１    霊苑
１２    側壁
１３    植物
Ｔ    墓
２１    墓が設けられているフロア
２２    墓を設置するためのエリア
２３    噴水
２４    水場
２５    休憩室
２６    祭壇
２７    階段
２８    エレベーター
３１    台座
３２    壁
４１    芝台
４２    下部納骨室部
４３    上部納骨室部
４４    上台
４５    竿
４６    遺骨
４７    銘板
５１    本体部分
５２    扉部分
５３    板部材
５４    金具
５５    磁石
６１    石材
６２    補強部材
７１    光源
【図１】
2015001128.tif 000003
【図２】
2015001128.tif 000004
【図３】
2015001128.tif 000005
【図４】
2015001128.tif 000006
【図５】
2015001128.tif 000007
【図６】
2015001128.tif 000008
【図７】
2015001128.tif 000009